(57)【特許請求の範囲】
【請求項１】
厚みが異なる厚手帳票部と薄手帳票部とが幅方向に連接され、流れ方向に複数ページ連続する連続帳票において、
先頭側の１ページ目には、前記薄手帳票部のみ備え、
前記薄手帳票部は、前記先頭側の１ページ目と２ページ目とを折り合わせてあること、
を特徴とする連続帳票。
【請求項２】
請求項１に記載の連続帳票において、
前記薄手帳票部は、前記先頭側の１ページ目と２ページ目とを折り合わせた状態で、接着又は擬似接着してあること、
を特徴とする連続帳票。
【請求項３】
厚みが異なる厚手帳票部と薄手帳票部とが幅方向に連接され、流れ方向に複数ページ連続する連続帳票の使用方法において、
前記厚手帳票部の先頭側の１ページ目を除去し、前記薄手帳票部の先頭側の１ページ目を２ページ目に重ね合わせて、プリンタにセッティングすること、
を特徴とする連続帳票の使用方法。
【請求項４】
厚みが異なる厚手帳票部と薄手帳票部とが幅方向に連接され、流れ方向に複数ページ連続する連続帳票であって、先頭側の１ページ目には、前記薄手帳票部のみ備える連続帳票の使用方法において、
前記薄手帳票部の先頭側の１ページ目を２ページ目に重ね合わせて、プリンタにセッティングすること、
を特徴とする連続帳票の使用方法。
【発明の詳細な説明】
【０００１】
【発明の属する技術分野】
本発明は、重ね合せ片等によって幅方向で厚み差のある連続帳票及びその使用方法に関するものである。
【０００２】
【従来の技術】
昨今、通販会社等では、従来、別々に用意していた配送伝票と、商品明細書リスト帳票等とを一体化する動きがある。この理由は、
( ｉ）媒体そのもののコストダウンをはかれる、
(ii ）印字作業の効率化によるコストダウンや納期短縮をはかれる、
(iii）誤発送の撲滅によるコストダウンや企業イメージの向上等をはかれる、
等々のメリットがあるからである。
【０００３】
しかし、配送伝票は、例えば、段ボール等の荷物に直接貼ることができなければ、印字した紙の裏面に糊を塗って貼るという作業が別途必要となるために、前述したメリットを得ることができなくなることから、裏面にタック紙が必要である。
一方、商品明細書リスト帳票は、単なるリストであるために、上質紙又は各種プリンタに適合するプリンタ用紙単一で良く、タック紙は必要ない。
【０００４】
これらを一体化する簡単な方法は、商品明細書リスト帳票の裏面にもタック紙を設けておき、タック紙として使わなければよい。この方法であれば、タック紙に印刷、加工を行うだけでよく、一体化するにあたっても、特別の設備は必要ない。
【０００５】
しかし、一般的には、商品明細書リスト帳票の方が、配送伝票よりも数倍以上大きく、かつ、上質紙やプリンタ用紙よりも、タック紙の方が数倍高いことから、媒体そのもののコストダウンは図れず、また、資材を多く使うことから、環境保護の観点からも、企業イメージの悪化にもつながりかねない。
【０００６】
以上の理由から、現在、重ね合せ片付き連続帳票が実用化されている。
図３は、重ね合せ片付き連続帳票の一般的な構成を示す図である。
この重ね合せ片付き連続帳票１０は、配送伝票１０Ａと、商品明細書リスト帳票１０Ｂとが一体化されたものである。
配送伝票１０Ａは、上質紙やプリンタ用紙等の基材１１の裏面の一部に、疑似接着剤等の剥離構造１２を介して、タック紙１３が設けられている。
タック紙１３は、上質紙等の上紙１４と、その裏面に形成れた粘着剤１５と、粘着剤１５に剥離可能に貼付された剥離紙１６等とを備えている。剥離構造１２及びタック紙１３からなる重ね合せ片は、連続帳票の流れ方向に、実質的な隙間が無い状態で、その重ね合せ片が略全面を接着又は擬似接着した状態で貼り込まれている。
一方、商品明細書リスト帳票１０Ｂは、上質紙やプリンタ用紙等の基材１１のみからなり、配送伝票１０Ａの基材１１の残りの一部が用いられている。
【０００７】
この重ね合せ片付き連続帳票１０は、図２に示すように、基材１１にタック紙１３を貼り込むことによって、幅方向に大きな厚みの差が生じることが理解できる。これは、数百〜数千ページを折り畳んでブロック状にした場合にも、図４（ａ）に示すのように、倒れた状態となるために、あまり多くの量を１箱に詰め込むことはできない。
【０００８】
そして、１箱に多くを詰め込むことができないということは、業務量が多い通販会社等では、プリンタに用紙を何度もかけ替えなくてはならない、ということになり、作業性が悪化することが考えられる。
ただし、例えば、高速ＮＩＰ（ノンインパクトプリンタ）と呼ばれるプリンタには、オートロードという自動給紙機構が付いており、安定的に用紙がセットできさえすれば、作業員の肉体的な負荷は必ずしも大きくはない。
【０００９】
また、図４（ｂ）に示すように、箱内に高さ調整用のスペーサー２０等を使用して、幅方向の厚み差を吸収すれば、一般的な連続帳票と同程度の箱入り目が確保できるため、コストダウン効果等のメリットを多く享受できることになる。
【００１０】
【発明が解決しようとする課題】
そこで、本件発明者は、重ね合せ片付き連続帳票１０を実用化させる上で重要な点は、その形態から来る「オートロード適性」の低さを、どのように克服するかという点に着目した。
【００１１】
以下に、本発明が解決しようとするオートロード適性について説明する。
オートロード機構は、プリンタ機種ごと、プリンタメーカーごとに異なっているために、プリンタ側から見て最も望ましい用紙物性を数値化することは困難である。
しかし、重ね合せ片付き連続帳票としては、概して、次の物性が重要と考えられる。
（ａ）幅方向の厚みの差
（ｂ）幅方向のカール
【００１２】
もちろん、この２点以外の物性については、まず、プリンタごとに規定され、推奨される用紙規格に合致していることが望ましい。
【００１３】
次に、代表的なプリンタとして、昭和情報機器・ＳＸ７３００のオートロード機構を例にして説明する。
（Ｉ）  まず、印字したい帳票を、天地サイズに合わせてテーブルの所定位置に置く。このときに、両ピン孔を、テーブルにあるピントラクタに合わせて用紙幅をあわせる。
（II）  オートロードを開始すると、テーブルの下端側を支点にして、先端が上昇し、上部にある用紙フィード用のピントラクタによってピン孔を送る。
（III ）  ピン孔で送りはじめると、フィード用のニップローラで用紙を挟み込んで、スタッカに用紙が供給されるまで、自動的にフィードしていく。これで、オートロードは完了となる。
【００１４】
そして、これらの機構のうち、（Ｉ）では、（ｂ）の「幅方向のカール」が重要であり、（III ）では、（ａ）の「幅方向の厚み差」が重要になる。
（ｂ）の「幅方向のカール」が大きいと、テーブルにあるピントラクタに帳票のピン孔を合わせることができないため、用紙セットが困難になり、（ａ）の「幅方向の厚み差」が大きいと、ニップローラでかかる圧力が、極端に厚い重ね合せ片側だけになり、蛇行しやすくなるという問題がある。
【００１５】
実際には、ピンで送っているために、蛇行まで至らない場合が多いが、プリンタの調整状態、ニップローラ等の機構を構成する部材の摩擦度などによって、ピン孔が歪んだりしてジャムを発生して、オートロード不良に至る場合が散見される。
この連続帳票は、ピン孔で送る機構のため、オートロードで用紙セットに成功すれば、よほどのことがない限り、１箱単位の印字は可能である。カールや厚み差についても同様である。
【００１６】
本発明の目的は、幅方向に厚み差のある連続帳票のメリットを最大限に生かしながら、これらの課題を解決して、オートロード適性に優れた連続帳票及びその使用方法を提供し、良好な印字業務を構築することである。
【００１７】
【課題を解決するための手段】
前記課題を解決するために、請求項１の発明は、厚みが異なる厚手帳票部と薄手帳票部とが幅方向に連接され、流れ方向に複数ページ連続する連続帳票において、先頭側の１ページ目には、前記薄手帳票部（１０Ｂ−１）のみ備え、前記薄手帳票部は、前記先頭側の１ページ目（Ｐ１）と２ページ目（Ｐ２）とを折り合わせてあること、を特徴とする連続帳票である。
【００１９】
請求項２の発明は、請求項１に記載の連続帳票において、前記薄手帳票部（１０Ｂ）は、前記先頭側の１ページ目（Ｐ１）と２ページ目（Ｐ２）とを折り合わせた状態で、接着又は擬似接着してあること、を特徴とする連続帳票である。
【００２１】
請求項３の発明は、厚みが異なる厚手帳票部と薄手帳票部とが幅方向に連接され、流れ方向に複数ページ連続する連続帳票の使用方法において、前記厚手帳票部の先頭側の１ページ目を除去し、前記薄手帳票部の先頭側の１ページ目を２ページ目に重ね合わせて、プリンタにセッティングすること、を特徴とする連続帳票の使用方法である。
【００２２】
請求項４の発明は、厚みが異なる厚手帳票部と薄手帳票部とが幅方向に連接され、流れ方向に複数ページ連続する連続帳票であって、先頭側の１ページ目には、前記薄手帳票部のみ備える連続帳票の使用方法において、前記薄手帳票部の先頭側の１ページ目を２ページ目に重ね合わせて、プリンタにセッティングすること、を特徴とする連続帳票の使用方法である。
【００２３】
【発明の実施の形態】
以下、図面などを参照しながら、本発明の実施の形態をあげて、さらに詳しく説明する。
図１は、本発明による連続帳票とその使用方法の実施形態を示す図である。
なお、以下に示す実施形態では、前述した従来例と同様な機能を果たす部分には、同一の符号を付して、重複する図面や説明を適宜省略する。
この実施形態の連続帳票１０−１は、厚みの厚い配送伝票（厚手帳票部，重ね合わせ片）１０Ａと、厚みの薄い商品明細書リスト帳票（薄手帳票部）１０Ｂとが幅方向に連接され、流れ方向に複数ページ連続する（１０Ａ−１，１０Ｂ−１，１０Ａ−２，１０Ｂ−２，・・・）重ね合わせ片付き連続帳票である。
【００２４】
この実施形態では、先頭側の１ページ目の配送伝票１０Ａ−１のみ切り離されており、先頭側の１ページ目には、薄手の商品明細書リスト帳票１０Ｂ−１のみを備えている。この商品明細書リスト帳票１０Ｂは、先頭側の１ページ目（Ｐ１）と２ページ目（Ｐ２）とを重ね合わせてあり、この状態で、箱に収容されている。
【００２５】
このように、本実施形態では、商品明細書リスト帳票１０Ｂの先頭側の１ページ目（Ｐ１）を２ページ目（Ｐ２）側へ折り畳んで、２ページ目（Ｐ２）の配送伝票（重ね合せ片を含む部位）１０Ａ−２と近似した厚みにして供給するようにしたので、オートロード適性の向上が認められた。
【００２６】
以上説明した実施形態に限定されることなく、種々の変形や変更が可能であって、それらも本発明の均等の範囲内である。
（１）  図２（ａ）に示す連続帳票１０−１のように、商品明細書リスト帳票１０Ｂには、先頭側の１ページ目（Ｐ１）と２ページ目（Ｐ２）とを重ね合わせた状態で、接着又は擬似接着する接着層１７を設けるようにしてもよい。このように、接着層１７によって、接着又は擬似接着しておけば、セッティング作業がより簡単かつ確実になる。
【００２７】
（２）  商品明細書リスト帳票１０Ｂの先頭側の１ページ目（Ｐ１）を２ページ目（Ｐ２）側へ折り畳んだ例で説明したが、図２（ｂ）に示す連続帳票１０−３のように、配送伝票１０Ａ−１を切り離さない状態で、商品明細書リスト帳票１０Ｂの先頭側の１ページ目（Ｐ１）に配送伝票１０Ａ−１との厚み差を調整する上質紙やプリンタ用紙等の別の基材（厚み調整部材）１８を接着層１７によって貼付するようにしてもよい。
【００２８】
（３）  出荷時には、配送伝票１０Ａ−１を切り離さない状態で、箱に詰めておき、使用者が、配送伝票１０Ａの先頭側の１ページ目のみを切り離し（＃１０１）、商品明細書リスト帳票１０Ｂの先頭側の１ページ目（Ｐ１）を２ページ目（Ｐ２）に重ね合わせて給紙して（＃１０２）、プリンタにセッティングするようにしてもよい。
【００２９】
（４）  もちろん、出荷時に、図１に示すように、配送伝票１０Ａ−１を切り離した状態で、箱に詰めておき、使用者が、商品明細書リスト帳票１０Ｂの先頭側の１ページ目（Ｐ１）を２ページ目（Ｐ２）に重ね合わせて給紙して（＃１０２）、プリンタにセッティングするようにしてもよい。
【００３０】
（５）  ピンで送るプリンタの例で説明したが、ピンレスのプリンタにも同様に適用できる。
【００３１】
【発明の効果】
以上詳しく説明したように、本発明によれば、幅方向に厚み差のある連続帳票であっても、先頭ページの厚み差をなくす又は少なくしたので、プリンタへのセッティング時に、オートロード適性を大幅に向上させることができる、という効果がある。
【図面の簡単な説明】
【図１】本発明による連続帳票とその使用方法の実施形態を示す図である。
【図２】本発明による連続帳票とその使用方法の他の実施形態を示す図である。
【図３】重ね合せ片付き連続帳票の一般的な構成を示す図である。
【図４】本発明の解決しようとする課題を説明する図である。
【符号の説明】
１０  連続帳票
１０Ａ  配送伝票
１０Ｂ  商品明細書リスト帳票
１１  基材
１２  剥離構造
１３  タック紙
１４  上紙
１５  粘着剤
１６  剥離紙
【図１】
0004253106.tif 000002
【図２】
0004253106.tif 000003
【図３】
0004253106.tif 000004
【図４】
0004253106.tif 000005